(57)【要約】      （修正有）【課題】潜像が、偏光板を介さない目視では視認が不能か又は困難のいずれであるが、偏光板を介した目視によって視認が可能となるように、材料の配向を利用して設けてある偽造防止媒体について、真偽判定が多回数可能であり、耐性及び画像の精細さの点で制約されず、専用の検証器により潜像画像を発光させることで、潜像画像の目視確認を可能にするための非常に簡単な検証器を提供すること。【解決手段】該被検証体に、ある一方向の偏光を持った光を照射する検証光照射手段、該光の照射により該被検証体から反射する反射光の光路上に偏光板を配置し、該偏光板を通過した光を観察させる観察手段、以上の２つの手段を具備することを特徴とする検証器。【選択図】図２
2005055272.tif 000002
【特許請求の範囲】
【請求項１】
潜像が、偏光板を介さない目視では視認が不能か又は困難のいずれであるが、偏光板を介した目視によって視認が可能となるように、材料の配向を利用して設けてある偽造防止媒体、及び、該潜像が設けられていない別媒体、これら２通りの媒体の存在が心配される場合の、被検証体が該偽造防止媒体であるか否かの検証に用いる検証器であって、
該被検証体に、ある一方向の偏光を持った光を照射する検証光照射手段、
該光の照射により該被検証体から反射する反射光の光路上に偏光板を配置し、該偏光板を通過した光を観察させる観察手段、
以上の２つの手段を具備することを特徴とする検証器。
【請求項２】
前記観察手段の前記偏光板が前記反射光を偏光させる向きが、前記検証光照射手段が照射する前記光の偏光の向きと直交することを特徴とする請求項１に記載の検証器。
【請求項３】
前記観察手段の前記偏光板が、若干上向きの角度で配置されてあることを特徴とする請求項１又は２のいずれかに記載の検証器。
【請求項４】
潜像が、偏光板を介さない目視では視認が不能か又は困難のいずれであるが、偏光板を介した目視によって視認が可能となるように、材料の配向を利用して設けてある偽造防止媒体、及び、該潜像が設けられていない別媒体、これら２通りの媒体の存在が心配される場合の、被検証体が該偽造防止媒体であるか否かの検証に用いる検証方法であって、
該被検証体に、ある一方向の偏光を持った光を照射する検証光照射工程、
該光の照射により該被検証体から反射する反射光の光路上に偏光板を配置し、該偏光板を通過した光を観察させる観察工程、
以上の２つの工程を含むことを特徴とする検証方法。
【発明の詳細な説明】
【技術分野】
【０００１】
隠し文字やパターンを表示させることを目的とした潜像を用いた偽造防止媒体を、偽造か否かの真偽判定を容易に行うために、専用の検証装置により潜像画像を発光させ、目視確認を可能とする検証器及び検証方法に関する。
【背景技術】
【０００２】
従来から、偏光性材料から成る偽造防止媒体が知られている。
【０００３】
例えば、基材と、この基材上に形成され、相互に異なる色の３層の二色性色素層と、これら３層の二色性色素層間に形成された相互汚濁防止層とを備えて構成され、各二色性色素層には、異方的に配向された二色性色素がパタ−ニングされており、自然光の下で観察したときには文字や画像は認識できないが、偏光板を通したり直線偏光を照射して観察すると透過光の偏光成分に偏りがあるため、パタ−ニングされた部分がそれぞれ別の色を呈して文字や画像が認識される潜像記録媒体が知られている（特許文献１参照）。
【０００４】
また例えば、支持体の片面上にＯＶＤ層、潜像形成層が積層して形成されたＯＶＤ形成シ−トの該潜像形成層に、裸眼による目視では透明で偏光フイルムを用いた目視では可視可能な、配向された潜像部分を設けたＯＶＤ形成シ−トが知られている（特許文献２参照）。
【０００５】
ところが、従来、このような、潜像が、偏光板を介さない目視では視認が不能か又は困難のいずれであるが、偏光板を介した目視によって視認が可能となるように、材料の配向を利用して設けてある偽造防止媒体を、目視で真偽判定の可能な専用の検証器は存在しなかった。
【特許文献１】特開２０００−３１４８１０号公報
【特許文献２】特開２００１−０９６９９９号公報
【発明の開示】
【発明が解決しようとする課題】
【０００６】
本発明は斯かる背景技術に鑑みてなされたもので、潜像が、偏光板を介さない目視では視認が不能か又は困難のいずれであるが、偏光板を介した目視によって視認が可能となるように、材料の配向を利用して設けてある偽造防止媒体について、真偽判定が多回数可能であり、耐性及び画像の精細さの点で制約されず、専用の検証器により潜像画像を発光させることで、潜像画像の目視確認を可能にするための非常に簡単な検証器を提供することを課題とする。
【課題を解決するための手段】
【０００７】
請求項１の発明は、潜像が、偏光板を介さない目視では視認が不能か又は困難のいずれであるが、偏光板を介した目視によって視認が可能となるように、材料の配向を利用して設けてある偽造防止媒体、及び、該潜像が設けられていない別媒体、これら２通りの媒体の存在が心配される場合の、被検証体が該偽造防止媒体であるか否かの検証に用いる検証器であって、
該被検証体に、ある一方向の偏光を持った光を照射する検証光照射手段、
該光の照射により該被検証体から反射する反射光の光路上に偏光板を配置し、該偏光板を通過した光を観察させる観察手段、
以上の２つの手段を具備することを特徴とする検証器である。
【０００８】
請求項２の発明は、前記観察手段の前記偏光板が前記反射光を偏光させる向きが、前記検証光照射手段が照射する前記光の偏光の向きと直交することを特徴とする請求項１に記載の検証器である。
【０００９】
請求項３の発明は、前記観察手段の前記偏光板が、若干上向きの角度で配置されてあることを特徴とする請求項１又は２のいずれかに記載の検証器である。
【００１０】
請求項４の発明は、潜像が、偏光板を介さない目視では視認が不能か又は困難のいずれであるが、偏光板を介した目視によって視認が可能となるように、材料の配向を利用して設けてある偽造防止媒体、及び、該潜像が設けられていない別媒体、これら２通りの媒体の存在が心配される場合の、被検証体が該偽造防止媒体であるか否かの検証に用いる検証方法であって、
該被検証体に、ある一方向の偏光を持った光を照射する検証光照射工程、
該光の照射により該被検証体から反射する反射光の光路上に偏光板を配置し、該偏光板を通過した光を観察させる観察工程、
以上の２つの工程を含むことを特徴とする検証方法である。
【発明の効果】
【００１１】
請求項１及び４の発明では、潜像が、偏光板を介さない目視では視認が不能か又は困難のいずれであるが、偏光板を介した目視によって視認が可能となるように、材料の配向を利用して設けてある偽造防止媒体について、真偽判定が多回数可能であり、耐性及び画像の精細さの点で制約されず、専用の検証器により潜像画像を発光させることで、潜像画像の目視確認を可能にするための非常に簡単な検証器を提供できるという効果がある。
【００１２】
請求項２の発明では、潜像画像だけが最も鮮明に見えるという効果がある。
【００１３】
請求項３の発明では、潜像画像を斜め上方向から眺められるという効果がある。
【発明を実施するための最良の形態】
【００１４】
以下、本発明の一実施の形態を、図面を参照して詳細に説明する。
【００１５】
図１は本発明の検証器の一実施例を示す外観図であり、図２は図１の検証器の内部を示すものである。また、図３は偏光板と被検証体との配置の関係を示す図である。図３において、偏光板１（３）上の双方向の矢印は、偏光板１（３）の偏光の向きを表し、偏光板２（４）上の双方向の矢印は、偏光板２（４）の偏光の向きを表している。
【００１６】
図２によると、スイッチ（６）は検証器上方にあり、そのスイッチ（６）を押すことによって光源（５）を照射させるものである。また、そのスイッチ（６）は、検証器側面に配置したり、または検証器下面に配置し、机等と接触した際に光源（５）が照射されるような方式もある。
【００１７】
図２において本発明の検証器は、スイッチ（６）、光源（５）、乾電池（７）、偏光板1（３）、偏光板２（４）で構成されている。
【００１８】
偏光板１（３）は偏光板２（４）の偏光の向きと直交するように取り付けられ、その偏光板１（３）と偏光板２（４）の取り付け角度は、人間が見る角度によって異なる。斜め上方向から見る場合には、偏光板１（３）が若干上向きの角度（例えば、机等の基準面から６０度）で配置されると良い。偏光板１（３）と偏光板２（４）の下方の開いた側は開
口部（８）として開いた状態になっている。
【００１９】
開口部（８）に置かれた被検証体（９）に偏光板２（４）を介して一方向の光を照射する位置には、光源（５）が取り付けられており、開口部（８）中央を照らしている。
【００２０】
図３に示すように、開口部（８）に、被検証体（９）を置いて光源（５）を照射させる。
【００２１】
潜像が、偏光板を介さない目視では視認が不能か又は困難のいずれであるが、偏光板を介した目視によって視認が可能となるように、材料の配向を利用して設けてある偽造防止媒体を、被検証体（９）とした場合、図３の潜像（１０）のように、その潜像が視認できる。
【００２２】
何故なら、偏光板１（３）は偏光板２（４）の偏光の向きと直交するように取り付けられていることを考慮すると、光源（５）からの自然光は、偏光板２（４）を透過して直線偏光となり、潜像が設けられている部分に入射すると、材料の配向により、楕円偏光として反射されるので、偏光板１（３）を透過するのに対して、他方、潜像が設けられていない部分に入射すると、直線偏光のまま反射されるので、偏光板１（３）を透過しないために、暗闇の中に潜像画像だけが発光して見えるからである。
【００２３】
尚、偏光板１（３）は偏光板２（４）の偏光の向きと直交しないように取り付けられている場合には、潜像が設けられていない部分に入射する光も、偏光板１（３）を透過するために、潜像画像が発光して見えると同時に、潜像が設けられていない部分も見えることになる。
【００２４】
他方、潜像が設けられていない媒体を、被検証体（９）とした場合には、当然のことながら、潜像を視認できない。
【００２５】
さらに、偏光板１（３）と偏光板２（４）が収められている部分はユニット化されており、偏光板の汚れや破損等が起こった場合には、ユニット毎交換できるような構造となっている。
【００２６】
また、光源（５）や乾電池（７）も、それぞれの寿命に応じて容易に交換することが可能な構造である。
【実施例１】
【００２７】
本発明を、具体的な実施例を挙げて詳細に説明する。
【００２８】
容易に持ち運びが可能な大きさの本体に、スイッチ、光源、乾電池と偏光板ユニットが備えられており、そのスイッチのＯＮ、ＯＦＦで光源が照射される。その光源は、本実施例では、特に輝度の高い白色ＬＥＤを使用している。
【００２９】
本体から取り外しが可能な偏光板ユニットは、一方向の偏光を持った光を被検証体に照射するように、被検証体と光源の間に配置した偏光板２と、該一方向の偏光を持った光が該被検証体上で反射され、その反射した光が入射される、前記偏光板２の偏光の向きと直交する偏光の向きを持つ偏光板１とで構成されている。
【００３０】
その２枚の偏光板の取り付け角度は、光源から照射される光の入射角、反射角の関係によって決まり、目視をしようとする角度で予め設定することが出来る。本実施例では、斜め上方向から見るものとし、偏光板１を机等の基準面から６０度に設置し、偏光板１に対
しての偏光板２の角度は約３５度とした。
【００３１】
本体の開口部に、潜像が、偏光板を介さない目視では視認が不能か又は困難のいずれであるが、偏光板を介した目視によって視認が可能となるように、材料の配向を利用して設けてある偽造防止媒体を用いて作成したステッカー等の被検証体を置いて、偏光板を介して光を照射することにより、もし該被検証体が本物であれば、検証体に形成された潜像が視認でき、該検証体が偽造であれば潜像を視認することができない。
【図面の簡単な説明】
【００３２】
【図１】検証器外観図。
【図２】検証器内部詳細図。
【図３】偏光板と被検証体との配置の関係図。
【符号の説明】
【００３３】
１…本体
２…偏光板ユニット
３…偏光板１
４…偏光板２
５…光源
６…スイッチ
７…乾電池
８…開口部
９…被検証体
１０…潜像
【図１】
2005055272.tif 000003
【図２】
2005055272.tif 000004
【図３】
2005055272.tif 000005